【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
産業ネットワークを管理する中央局との通信を促進する統合フレームワークであって、前記統合フレームワークは、
前記産業ネットワーク内の運用データおよびイベントデータを生成するよう構成された複数のセンサーおよび産業ネットワークコンポーネントと、
前記複数のセンサーおよび産業ネットワークコンポーネントと通信する運用バスであって、前記運用バスは、前記運用データを受信して前記中央局へ伝達するよう構成されており、前記運用データは、少なくとも１つのセンサーまたは産業ネットワークコンポーネントに関するリアルタイム測定値を含む、前記運用バスと、
前記複数のセンサーおよび産業ネットワークコンポーネントと通信するイベントバスであって、前記イベントバスは、前記イベントデータを受信して前記中央局へ伝達するよう構成されており、前記イベントバスは、前記運用バスと別であり、前記イベントデータは、前記リアルタイム測定値とは異なり且つ前記リアルタイム測定値から得られ、前記イベントデータは、前記少なくとも１つのリアルタイム測定値に基づく少なくとも１つの分析判断を含む、前記イベントバスと、
を含み、
前記運用データは、前記運用バスを介して伝達され、前記イベントバスを介しては伝達されず、
前記イベントデータは、前記イベントバスを介して伝達され、前記運用バスを介しては伝達されない、統合フレームワーク。
【請求項２】
前記産業ネットワークは、輸送手段運行ネットワークを含む、請求項１に記載の統合フレームワーク。
【請求項３】
前記輸送手段運行ネットワークは、鉄道運行ネットワークを含む、請求項２に記載の統合フレームワーク。
【請求項４】
前記輸送手段運行ネットワークは、トラック輸送システムネットワークを含む、請求項２に記載の統合フレームワーク。
【請求項５】
受信されたデータの少なくとも一部を分析し、前記運用バスおよび前記イベントバスのうちの１つへ前記データをルーティングするルータをさらに含む、請求項１に記載の統合フレームワーク。
【請求項６】
前記ルータは、前記データを前記運用バスへルーティングするか、または前記イベントバスへルーティングするかを判断するために、前記データ内の少なくとも１つのヘッダを分析する、請求項５に記載の統合フレームワーク。
【請求項７】
前記ルータは、前記中央局に位置する、請求項５に記載の統合フレームワーク。
【請求項８】
前記運用バスは、非運用データをさらに含み、前記非運用データは、パフォーマンス、アセット正常性およびストレスデータの少なくとも１つを含む、請求項１に記載の統合フレームワーク。
【請求項９】
前記複数のセンサーは、
前記産業ネットワークのモバイルユニットに取り付けられ、エンドポイントデータを生成するよう構成されたモバイルセンサーと、
前記産業ネットワークのインフラストラクチャに関する少なくとも１つの側面を検出して、前記少なくとも１つの側面を示すインフラストラクチャデータを生成するよう構成された固定センサーと、
を含む、請求項１に記載の統合フレームワーク。
【請求項１０】
前記固定センサーは、メモリおよび前記メモリに記憶されたルールを含み、前記固定センサーは、前記エンドポイントデータを受信して、前記インフラストラクチャデータおよびエンドポイントデータに基づきイベントデータを判断するルールを実行するようさらに構成されている、
請求項９に記載の統合フレームワーク。
【請求項１１】
前記運用バスは、
複数のイベントストリームをフィルタリングし、少なくとも１つのイベントパターンに従い、前記複数のイベントストリームを解釈し、
前記複数のイベントストリームの前記解釈を、少なくとも前記中央局へ送信するよう構成されている、
請求項１に記載の統合フレームワーク。
【請求項１２】
前記運用バスおよび前記イベントバスと連結され、前記運用データを受信して記憶するよう構成されたサーバであって、前記サーバは、
少なくとも１つのルールに関して前記運用データを分析し、
前記分析に基づき、少なくとも１つのイベントを生成し、
前記少なくとも１つのイベントを前記センサーおよび産業ネットワークコンポーネントの少なくとも１つに送信して、前記産業ネットワークの少なくとも１つのセクション内におけるセルフヒーリングをトリガするようさらに構成された、
前記サーバをさらに含む、
請求項１に記載の統合フレームワーク。
【請求項１３】
前記サーバは、中央制御センターに存在し、前記少なくとも１つのイベントは、前記中央制御センターの動作への変更をトリガする、
請求項１２に記載の統合フレームワーク。
【請求項１４】
前記サーバは、前記中央局へ伝送するための作業命令を生成するようさらに構成されている、
請求項１２に記載の統合フレームワーク。
【請求項１５】
産業ネットワークを管理する中央局へデータを伝達するための方法であって、
少なくとも一部無線で、動作データを運用バス上の前記中央局に伝達するステップであって、前記動作データは、複数のセンサーおよび産業ネットワークコンポーネントから受信され、少なくとも１つのセンサーまたはネットワークコンポーネントに関する少なくとも１つのリアルタイム測定値を含む、伝達するステップと、
少なくとも一部無線で、イベントデータをイベントバス上の前記中央局へ伝達するステップであって、前記イベントバスは、前記運用バスと別であり、前記イベントデータは、複数のセンサーおよび産業ネットワークコンポーネントの少なくとも一部から受信され、前記リアルタイム測定値とは異なり且つ前記リアルタイム測定値から得られ、前記イベントデータは、前記少なくとも１つのリアルタイム測定値に基づく前記産業ネットワークの動作に関する少なくとも１つの分析判断をさらに含む、伝達するステップと、
を含み、
前記動作データは、前記運用バスを介して伝達され、前記イベントバスを介しては伝達されず、
前記イベントデータは、前記イベントバスを介して伝達され、前記運用バスを介しては伝達されない、方法。
【請求項１６】
ルータにより、受信したデータの少なくとも一部を分析するステップと、
前記ルータにより、前記受信したデータの少なくとも一部に関する前記分析に基づき、前記データを前記運用バスおよび前記イベントバスのうちの１つにルーティングするステップと、
をさらに含む、請求項１５に記載の方法。
【請求項１７】
前記運用バスが、パフォーマンス、アセット正常性およびストレスデータの少なくとも１つを含む非運用データをさらに伝達する、
請求項１５に記載の方法。
【請求項１８】
前記イベントバスにより、複数のイベントストリームをフィルタリングし、少なくとも１つのイベントパターンに従って前記複数のイベントストリームを解釈するステップと、
前記イベントバスにより、前記複数のイベントストリームに関する前記解釈を、前記複数のセンサーおよび産業ネットワークコンポーネントの少なくとも１つに伝送するステップと、
をさらに含む、請求項１５に記載の方法。
【請求項１９】
前記運用バスおよび前記イベントバスと連結されたサーバにより、前記運用データを受信して、記憶するステップと、
前記サーバにより、少なくとも１つのルールに関して前記運用データを分析するステップと、
前記サーバにより、前記分析に基づき、少なくとも１つのイベントを生成するステップと、
前記サーバにより、前記少なくとも１つのイベントを前記センサーおよび産業ネットワークコンポーネントの少なくとも１つに送信して、前記産業ネットワークの少なくとも１つのセクション内におけるセルフヒーリングをトリガするステップと、
をさらに含む、請求項１５に記載の方法。
【請求項２０】
前記サーバは、前記産業ネットワークの中央制御センターに存在し、
前記サーバにより、前記少なくとも１つのイベントに基づき前記中央制御センターの動作への変更をトリガするステップをさらに含む、
請求項１９に記載の方法。
【請求項２１】
前記サーバにより、前記中央局へ伝送するための作業命令を生成するステップをさらに含む、
請求項１９に記載の方法。